(57)【要約】  本発明に係る実施形態は、実質的に直立し、横方向に配置された動力車両ラジエータを支持する実装部品を提供するものであり、この実装部品は、実装部品をラジエータ支持部品に接続する弾性的な可撓性を有する接続手段であって、支持部品を把持するための一組の対向する把持部材を有する接続手段を備え、実装部品は、ラジエータ支持部品が一組の把持部材の間に配置され、支持部品が実装部品に対して押圧されたとき、把持部材が支持部品に把持力を与え、一組の把持部材の間で支持部品を保持するように構成されている。
2015532233.tif 000002
【特許請求の範囲】
【請求項１】
動力車両のラジエータを支持するための実装部品であって、
実装部品をラジエータ支持部品に接続する弾性的な可撓性を有する接続手段であって、支持部品を把持するための一組の対向する把持部材を有する接続手段を備え、
実装部品は、ラジエータ支持部品が一組の把持部材の間に配置され、支持部品が実装部品に対して押圧されたとき、把持部材が支持部品に把持力を与え、一組の把持部材の間で支持部品を保持するように構成されたことを特徴とする実装部品。
【請求項２】
実装部品は、一組の支持脚部を有し、
支持脚部は、実装部品に対して押圧されたとき、把持部材を互いに対して押圧するように構成されたことを特徴とする請求項１に記載の実装部品。
【請求項３】
一組の支持脚部の間に第１のスロットが設けられ、
第１のスロットはラジエータ支持部品の対応する第１の部材を受容することを特徴とする請求項２に記載の実装部品。
【請求項４】
箱状形状に構成された二組の脚部を有することを特徴とする請求項１〜３のいずれか１に記載の実装部品。
【請求項５】
各組の支持脚部の間に第２のスロットを有し、
第２のスロットはラジエータ支持部品の対応する第２の部材を受容することを特徴とする請求項４に記載の実装部品。
【請求項６】
第１および第２のスロットは、互いに対して実質的に直交することを特徴とする請求項３を引用する請求項５に記載の実装部品。
【請求項７】
第１および第２のスロットを画定するほぼＸ字状のキャビティを含むキャップ部を有することを特徴とする請求項５または６に記載の実装部品。
【請求項８】
第１および第２のスロットの一方または両方の長さは、ラジエータ支持部品が導入されるように実装部品が構成される方向に沿って先細ることを特徴とする請求項５〜７のいずれか１に記載の実装部品。
【請求項９】
第１および第２のスロットの両方が先細り、任意的には共有頂部に向かって先細ることを特徴とする請求項８に記載の実装部品。
【請求項１０】
モールド成形された弾性材料で形成されたことを特徴とする請求項１〜９のいずれか１に記載の実装部品。
【請求項１１】
請求項１〜１０のいずれか１に記載の実装部品を支持するように構成されたラジエータ実装支持台を備えた動力車両の本体構造体。
【請求項１２】
実装部品をそれぞれ支持する一組のラジエータ実装支持台と、
一組のラジエータ支持部品を有するラジエータとを備え、
各ラジエータ実装支持台が対応する実装部品に把持されることにより、ラジエータが本体構造体により支持されることを特徴とする請求項１１に記載の本体構造体。
【請求項１３】
一組のラジエータ支持部品のそれぞれが、実装部品の第１および第２のスロットと相補的な形状を有する第１および第２の直交部材を有することを特徴とする請求項１２に記載の本体構造体。
【請求項１４】
支持部品がほぼＸ字状の断面を有し、
第１および第２の直交部材は、ラジエータ支持部品が実装部品内に導入されるように構成される方向に平行に先細り、任意的には共有頂部に向かって先細ることを特徴とする請求項１３に記載の本体構造体。
【請求項１５】
第１および第２の直交部材は、共有ベースを含むほぼ三角形の板状部材を有することを特徴とする請求項１３または１４に記載の本体構造体。
【請求項１６】
ラジエータは、それぞれ異なる第１および第２の支持部品を有し、
第１および第２の支持部品は、それぞれ実質的に同一の実装部品により把持されるように構成されることを特徴とする請求項１１〜１５のいずれか１に記載の本体構造体。
【請求項１７】
第１および第２のスロットはそれぞれ、車両の横方向軸および縦方向軸にほぼ平行であり、
第１の支持部品は、実装部品のキャップ部内に嵌合し、キャップ部により車両の横方向軸および縦方向軸に対して実質的にただ１つの位置に把持されるような形状を有することを特徴とする請求項１６に記載の本体構造体。
【請求項１８】
第２の支持部品は、実装部品のキャップ部内に嵌合し、キャップ部により車両の横方向軸および縦方向軸に対して所定範囲内の位置に把持されるような形状を有することを特徴とする請求項１７に記載の本体構造体。
【請求項１９】
第２の支持部品は、第２の直交部材の厚みが配設される実装部品の第２のスロットの対応する幅より小さく、横方向軸に平行な第１の直交部材の横方向の寸法が配設される実装部品の第１のスロットの対応する横方向寸法より小さくなるように構成されたことを特徴とする請求項１８に記載の本体構造体。
【請求項２０】
動力車両のラジエータを支持するための方法であって、
ラジエータ支持部品を、弾性的な可撓性を有する接続手段を有する実装部品に接続するステップを有し、
ラジエータが接続手段の一組の対向する把持部材の間に配置され、支持部品が実装部品に対して押圧されたとき、把持部材が支持部品に把持力を与え、一組の把持部材の間で支持部品を保持することを特徴とする方法。
【請求項２１】
ラジエータ支持構造体を組み立てる方法であって、
請求項１〜１０のいずれか１に記載の一組の実装部品を提供するステップと、
一組のラジエータ支持部品のそれぞれを対応する実装部品に接続するステップとを有することを特徴とする方法。
【請求項２２】
動力車両構造体の支持部品上に一組の実装部品を配置するステップを有することを特徴とする請求項２１に記載の方法。
【請求項２３】
動力車両のラジエータを支持するための実装部品であって、
実装部品をラジエータ支持部品に接続する接続手段と、
実装部品を表面上で支持するための第１組の支持脚部であって、第１組の第１および第２の支持脚部が三角形状構造体の２つの側面を画定するように構成された第１組の支持脚部とを有し、
実装部品が、脚部により画定された頂部が脚部により表面から離間するように構成されたことを特徴とする実装部品。
【請求項２４】
支持脚部が仮想的頂部を含む頂部切断された三角形状構造体の２つの側面を画定することを特徴とする請求項２３に記載の実装部品。
【請求項２５】
仮想的頂部がラジエータの内部に配置され、任意的にはラジエータの支持部品の内部に配置されるように構成されたことを特徴とする請求項２４に記載の実装部品。
【請求項２６】
第１および第２の支持脚部の間に第１のスロットが設けられ、
第１のスロットはラジエータ支持部品の第１の部材を受容し、
実装部品は、ラジエータ支持部品の第１の部材を第１および第２の支持脚部の間に把持するように構成されたことを特徴とする請求項２３〜２５のいずれか１に記載の実装部品。
【請求項２７】
実装部品は、支持部品の第１の部材に把持力を与え、
把持力の大きさは、第１の部材が第１のスロット内に押圧される力の大きさに少なくとも部分的に依存することを特徴とする請求項２６に記載の実装部品。
【請求項２８】
第１の部材が第１のスロット内に押圧されるとき、接続手段は、変形して、第１の部材に把持力を与えるように構成された弾性的に変形可能な材料からなることを特徴とする請求項２６または２７に記載の実装部品。
【請求項２９】
第２組の支持脚部をさらに有し、第１組の第１の支持脚部が第２組の第１の支持脚部とほぼ平行であり、第１組の第２の支持脚部が第２組の第２の支持脚部とほぼ平行であることを特徴とする請求項２３〜２９のいずれか１に記載の実装部品。
【請求項３０】
第２のスロットは、第１組の第１の支持脚部と第２組の第１の支持脚部の間、および第１組の第２の支持脚部と第２組の第２の支持脚部の間に設けられて、ラジエータ支持部品の第２の部材を受容するように構成され、
ラジエータ支持部品の第２の部材が実装部品内に押圧されたとき、第１の支持脚部は、これらの間に第２の部材を把持し、第２の支持脚部は、これらの間に第２の部材を把持することを特徴とする請求項２９に記載の実装部品。
【請求項３１】
支持部品の第１および第２の部材は、実質的に直交する板状部材の形態を有し、
板状部材は、共有頂部に向かって先細ることを特徴とする請求項４を引用する請求項３０に記載の実装部品。
【請求項３２】
第１および第２の部材は、共有ベースを含むほぼ三角形の板状部材を有することを特徴とする請求項３１に記載の実装部品。
【請求項３３】
ラジエータ支持部品を受容するように構成されたキャップ部を有し、
キャップ部は、支持部品の形状と対応する形状を有することを特徴とする請求項２３〜３２のいずれか１に記載の実装部品。
【請求項３４】
キャップ部は、ラジエータ支持部品の第１および第２の部材を受容するための第１および第２のスロットを画定することを特徴とする請求項８および４を引用する請求項３３に記載の実装部品。
【請求項３５】
請求項１〜１０、２３〜３４のいずれか１に記載の実装部品を支持するように構成されたラジエータ実装部品の支持台を備えた動力車両の本体構造体。
【請求項３６】
支持台は、キャップ部が少なくとも一組のバンプ防止部品に向かって十分な距離だけ変位したとき、キャップ部の外側表面が実装部品の対向する側面上に当接するように構成された少なくとも一組のバンプ防止部品を有することを特徴とする請求項３５に記載の本体構造体。
【請求項３７】
バンプ防止部品は、車両の縦方向および横方向を含む平面に対して先細ったキャップ部に対向した表面を有することにより、バンプ防止部品とキャップ部との間の反作用力をラジエータ支持部品に向きを変え、反作用力が車両の横方向軸および縦方向軸を含む平面に対して垂直な車両のＺ軸に平行な成分と垂直な成分を有することを特徴とする請求項３６に記載の本体構造体。
【請求項３８】
ラジエータを組み合わせた請求項３５〜３７のいずれか１に記載の本体構造体。
【請求項３９】
ラジエータは、車両の横方向軸に平行な横断方向に配置されることを特徴とする請求項３８に記載の本体構造体。
【請求項４０】
ラジエータは、それぞれ異なる第１および第２の支持部品を有し、
第１および第２の支持部品は、それぞれ実質的に同一の実装部品により把持されるように構成されることを特徴とする請求項３８または３９に記載の本体構造体。
【請求項４１】
第１の支持部品は、実装部品のキャップ部内に嵌合するような形状を有することにより、車両の縦方向軸および横方向軸に対して実質的にただ１つの点で把持されることを特徴とする請求項３３を引用する請求項４０に記載の本体構造体。
【請求項４２】
第２のラジエータ支持部品は、実装部品のキャップ部内に嵌合するような形状を有し、車両の横方向軸に対して所定範囲の位置で把持されることを特徴とする請求項３０を引用する請求項４１に記載の本体構造体。
【請求項４３】
第２のラジエータ支持部品は、その第２の部材の幅が実装部品の第２のスロットの対応する幅より小さい幅を有し、第２のラジエータ支持部品の第１の部材の横方向の寸法は、実装部品の第１のスロットの対応する横方向の寸法より小さくするように構成されることにより、車両の横方向軸に沿った第１および第２の部分の間の距離の変動を調整することを特徴とする請求項２６を引用する請求項４１に記載の本体構造体。
【請求項４４】
動力車両のラジエータを支持するための方法であって、
実装部品を用いてラジエータに加わる力を車両本体構造体に伝達するステップを有し、
車両の横方向軸または縦方向軸に沿ってラジエータに加わる力が実装部品のほぼ三角形の構造体を形成する支持脚部を介して伝達され、その頂部にある瞬間中心を通って作用し、頂部が脚部により車両本体構造体から離間することを特徴とする方法。
【請求項４５】
ラジエータ支持構造体の組み立て方法であって、
請求項２３〜３４のいずれか１に記載の一組の実装部品を提供するステップと、
ラジエータの各組のラジエータ支持部品をそれぞれの実装部品に連結するステップとを有することを特徴とする方法。
【請求項４６】
一組の実装部品を動力車両の構造体上に設けるステップを有することを特徴とする請求項４５に記載の方法。
【請求項４７】
添付図面を参照して実質的に上記説明した実装部品、車両または方法。
【発明の詳細な説明】
【技術分野】
【０００１】
本発明は、支持構造体に関する。本発明は、特に限定的されないが、エンジンの冷却剤を冷却するためのラジエータを支持する支持構造体に関する。本発明の態様は、実装部品（マウント部品）、車両、構造体、および方法に関する。
【背景技術】
【０００２】
エンジン冷却剤を冷却するためのラジエータを設けることが知られている。いくつかのラジエータにおいて、冷却剤は、水平方向または鉛直方向に配置され得る平行で薄壁のチューブアレイ（一連のチューブ）を通って流れる。ラジエータ支持ポストがラジエータの両端部に配置され、ラジエータはシャーシまたは車両の下方構造支持部品に固定される。支持ポストは、ラジエータの大部分の重量を支えるため、相当に大きな力が加わる。
【０００３】
動力車両内にラジエータを支持するための改善された装置を提供することが望まれている。
【発明の概要】
【０００４】
添付クレームを参照することにより、本発明に係る実施形態を理解することができる。
【０００５】
本発明に係る態様は、実装部品、構造体、車両、および方法に関する。
【０００６】
保護を求める本発明に係る１つの態様によれば、動力車両のラジエータを支持するための実装部品が提供され、この実装部品は、実装部品をラジエータ支持部品に接続する弾性的な可撓性を有する接続手段であって、支持部品を把持するための一組の対向する把持部材を有する接続手段を備え、実装部品は、ラジエータ支持部品が一組の把持部材の間に配置され、支持部品が実装部品に対して押圧されたとき、把持部材が支持部品に把持力を与え、一組の把持部材の間で支持部品を保持するように構成されている。
【０００７】
本発明に係る実施形態は、動力車両のラジエータ構造体をより簡単に組み立てられるという利点を有する。これは、単にラジエータの支持部品をラジエータ実装部品の把持部材の間に挿入し、実装部品に対してラジエータを押圧することにより、ラジエータを実装部品に接続することができるためである。ラジエータ支持部品の下方に配置された実装部品の場合、実装部品および支持部品は、支持部品上のラジエータの重量が支持部品に対して十分な把持力を生成することができるように構成されている。
【０００８】
有利にも、実装部品は一組の支持脚部を有し、支持脚部は、実装部品に対して押圧されたとき、把持部材を互いに対して押圧するように構成されてもよい。
【０００９】
脚部は、ほぼ三角形形状の構成または構造を有する２つの側面を画定し、任意的には頂部切断された三角形形状の構成を有してもよい。この構造体は、たとえば脚部の端部に接続する基礎側面を有さない構造体等の仮想的な構造体であってもよい。この構成で画定される頂部は、実装部分の上方にあって、脚部上に設置される実装部品がほぼ水平表面上にあるように構成してもよい。
【００１０】
さらに有利にも、一組の支持脚部の間に第１のスロットが設けられ、第１のスロットはラジエータ支持部品の対応する第１の部材を受容してもよい。
【００１１】
実装部品は、箱状形状に構成された二組の脚部を有してもよい。
【００１２】
実装部品は、各組の支持脚部の間に第２のスロットを有し、第２のスロットはラジエータ支持部品の対応する第２の部材を受容してもよい。
【００１３】
有利にも、第１および第２のスロットは、互いに対して実質的に直交してもよい。
【００１４】
その他の構成も同様に有用である。
【００１５】
実装部品は、第１および第２のスロットを画定するほぼＸ字状のキャビティを含むキャップ部を有してもよい。
【００１６】
第１および第２のスロットの一方または両方の長さは、ラジエータ支持部品が導入されるように実装部品が構成される方向に沿って先細ってもよい。
【００１７】
第１および第２のスロットの両方が先細り、任意的には共有頂部に向かって先細ってもよい。
【００１８】
実装部品は、モールド成形された弾性材料で形成されてもよい。
【００１９】
保護を求める本発明に係る別の態様によれば、上記態様に係る実装部品を支持するように構成されたラジエータ実装支持台を備えた動力車両の本体構造体が提供される。
【００２０】
本体構造体は、実装部品をそれぞれ支持する一組のラジエータ実装支持台と、一組のラジエータ支持部品を有するラジエータとを備え、各ラジエータ実装支持台が対応する実装部品に把持されることにより、ラジエータが本体構造体により支持されるものであってもよい。
【００２１】
一組のラジエータ支持部品のそれぞれが、実装部品の第１および第２のスロットと相補的な形状を有する第１および第２の直交部材を有してもよい。
【００２２】
有利にも、支持部品がほぼＸ字状の断面を有し、第１および第２の直交部材は、ラジエータ支持部品が実装部品内に導入されるように構成される方向に平行に先細り、任意的には共有頂部に向かって先細るものであってもよい。
【００２３】
いくつかの実施形態では、支持部品は、実質的に矢じりの形状を有してもよい。
【００２４】
第１および第２の直交部材は共有ベースを含むほぼ三角形の板状部材を有してもよい。
【００２５】
ラジエータは、それぞれ異なる第１および第２の支持部品を有し、第１および第２の支持部品は、それぞれ実質的に同一の実装部品により把持されるように構成されてもよい。
【００２６】
第１および第２のスロットはそれぞれ、車両の横方向軸および縦方向軸にほぼ平行であり、第１の支持部品は、実装部品のキャップ部内に嵌合し、キャップ部により車両の横方向軸および縦方向軸に対して実質的にただ１つの位置に把持されるような形状を有してもよい。
【００２７】
第２の支持部品は、実装部品のキャップ部内に嵌合し、キャップ部により車両の横方向軸および縦方向軸に対して所定範囲内の位置に把持されるような形状を有してもよい。
【００２８】
この特徴は、ラジエータ支持部品の相互間隔のばらつきを調整できるという利点を有する。
【００２９】
いくつかの択一的な実施形態では、第１および第２の支持部品は、実装部品のキャップ部内に嵌合し、キャップ部により車両の横方向軸および縦方向軸に対して所定範囲内の位置に把持されるような形状を有してもよい。
【００３０】
有利にも、第２の支持部品は、第２の直交部材の厚みが配設される実装部品の第２のスロットの対応する幅より小さく、横方向軸に平行な第１の直交部材の横方向の寸法が配設される実装部品の第１のスロットの対応する横方向寸法より小さくなるように構成されてもよい。
【００３１】
保護を求める本発明に係る１つの態様によれば、動力車両のラジエータを支持するための方法が提供され、この方法は、ラジエータ支持部品を、弾性的な可撓性を有する接続手段を有する実装部品に接続するステップを有し、ラジエータが接続手段の一組の対向する把持部材の間に配置され、支持部品が実装部品に対して押圧されたとき、把持部材が支持部品に把持力を与え、一組の把持部材の間で支持部品を保持する。
【００３２】
保護を求める本発明に係る別の態様によれば、ラジエータ支持構造体を組み立てる方法が提供され、この方法は、上記態様に係る一組の実装部品を提供するステップと、一組のラジエータ支持部品のそれぞれを対応する実装部品に接続するステップとを有する。
【００３３】
この方法は、動力車両構造体の支持部品上に一組の実装部品を配置するステップを有してもよい。
【００３４】
保護を求める本発明に係る１つの態様によれば、動力車両のラジエータを支持するための実装部品が提供され、この実装部品は、これをラジエータ支持部品に接続する接続手段と、実装部品を表面上で支持するための第１組の支持脚部であって、第１組の第１および第２の支持脚部が三角形状構造体の２つの側面を画定するように構成された第１組の支持脚部とを有し、実装部品が、脚部により画定された頂部が脚部により表面から離間するように構成される。
【００３５】
保護を求める本発明に係る別の態様によれば、動力車両のラジエータを支持するための実装部品が提供され、この実装部品は、実装部品をラジエータ支持部品に接続する接続手段と、実装部品を表面上で支持するための第１組の支持脚部であって、第１組の第１および第２の支持脚部が三角形状構造体の２つの側面を画定するように構成された第１組の支持脚部とを有し、実装部品は、使用時、車両の横方向軸および縦方向軸に沿ってラジエータに加わる力が支持脚部を介して伝達され、その頂部にある瞬間中心を通って作用するように構成される。
【００３６】
理解されるように、実装部は、ラジエータに加わる力が支持脚部を介して伝達され、その頂部にある瞬間中心を通って作用するように構成されるものであってもよい。
【００３７】
すなわち、頂部は力が作用する瞬間中心を画定するものと考えてもよい。
【００３８】
本発明に係る実施形態は、ラジエータの所与の配置位置で受けるモーメントの大きさが低減されるように支持構造体からラジエータに加わる反作用力が制御される、という利点を有する。この実装部品は、瞬間中心が反作用力を負荷することが物理的に不可能である位置（たとえばモーメントの外側にある位置）となるように構成してもよく、ラジエータ自体の内部の位置等の別の部分であってもよい。理解されるように、ラジエータは、典型的には、周辺環境と効率的に熱交換するために薄壁の冷却剤通路を有する比較的に壊れやすい構成部品である。いくつかのラジエータでは、上側および下側（上方および下方）の冷却容器が、熱交換を行う薄壁の鉛直チューブを介して接続される。チューブは、たとえば溶接を用いて上側および下側のマニホールドを連結する。チューブとマニホールドとの連結部分は壊れやすく、連結部分に十分に大きなモーメントが加わると、連結部分が破損するリスクがある。対照的に、連結部分にせん断力が加わっても、連結部分は比較的に強い。
【００３９】
実装部品が水平面に（たとえばラジエータの重量を支持するための方向に、任意的にはラジエータを下から支えるための方向に）設けられたとき、支持脚部は実質的にＶ字状構造体またはＡフレーム状構造体を有してもよい。
【００４０】
理解されるように、実装部品は、ラジエータを下から、または上から支持してもよい。ラジエータを下から支持する場合、実装部品は、ラジエータの重量の少なくとも一部を支えてもよい。実装部品がラジエータを上から支持する場合、実装部品は、その上方にある表面に対して反対向きに配置してもよい。こうした応用例において、実装部品はラジエータの重量を支えられないが、ラジエータに加わる力を車両の本体構造体に伝えることができる。
【００４１】
実装部品は、車両の本体構造体の一部でラジエータを支持するために、車両の縦方向軸に対して前方向および後方向の下方に突出する第１および第２の脚部を有するように構成される。ラジエータは、車両の本体構造体に対して横断的に、すなわち横方向または東西方向に取り付けられる。ただし他の方向も同様に有用である。すなわちラジエータに前方向または後方向に加わる力は、第１および第２の脚部で画定される頂部にある瞬間中心を通って作用するように構成されてもよい。
【００４２】
有利にも、支持脚部は、仮想的頂部を含む頂部切断された三角形状構造体の２つの側面を画定する。
【００４３】
第１および第２の脚部は、実質的に同一の長さを有してもよい。三角形状構造体は、鉛直軸の周りで対称的であり、実質的に水平表面上にある実装部品は脚部上に載置されるものであってもよい。
【００４４】
さらに有利には、仮想的頂部は、使用時、ラジエータ内に配置されるように構成されてもよい。
【００４５】
すなわち支持脚部により画定される仮想的な三角形状構造体の頂部が実際にラジエータ内に配置されるように構造体を構成してもよい。理解されるように、実装部品は、反作用力を直接的にラジエータの内部（たとえば支持部分の内部またはラジエータの下側もしくは上側の冷却剤タンクの内部）の位置に負荷することはできない。本発明の実施形態は、瞬間中心を設定することにより、この問題を解消するものであり、脚部内で生じた反作用力が瞬間中心を通って作用する。瞬間中心は、ラジエータ自体の内部に配置され、たとえばラジエータの冷却剤タンクの内部に配置される。
【００４６】
実装部品には、第１および第２の支持脚部の間に第１のスロットが設けられ、第１のスロットはラジエータ支持部品の第１の部材を受容し、実装部品は、ラジエータ支持部品の第１の部材を第１および第２の支持脚部の間に把持するように構成されてもよい。
【００４７】
有利にも、実装部品は、支持部品の第１の部材に把持力を与え、把持力の大きさは、第１の部材が第１のスロット内に押圧される力の大きさに少なくとも部分的に依存するものであってもよい。
【００４８】
この特徴は、いくつかの実施形態において、第１の部材をスロットに押圧する力が増大するにつれて、実装部品から第１の部材に加わる把持力が増大するという利点を有する。
【００４９】
さらに有利にも、第１の部材が第１のスロット内に押圧されるとき、接続手段は、変形して、第１の部材に把持力を与えるように構成された弾性的に変形可能な材料からなるものであってもよい。
【００５０】
いくつかの実施形態において、把持力が拡張方向に実質的に直交する方向にラジエータ支持部品に加わるようにラジエータ支持部品が接続手段内に挿入されたとき、弾性的に変形可能な材料は、一方向に拡張することにより伸張するように構成される。たとえば弾性変形可能な材料がラジエータ支持部品から材料に加わる圧力に起因して拡張するとき、材料接続手段は、ラジエータ支持部品の少なくとも一部の周囲に当接して、把持力を与えてもよい。
【００５１】
すなわち、いくつかの構成では、別の方向に拡張した場合、たとえばラジエータの重量がラジエータ支持部品を介して実装部品により支えられた場合、接続手段は、ラジエータ支持部品の周囲の一方向に収縮する傾向があってもよい。
【００５２】
接続手段は、圧縮力が加わった場合、圧縮力の方向に直交する方向に一方向に拡張するように構成されてもよい。圧縮力は、たとえば実装部品がラジエータを下から支持する実施形態において、ラジエータ支持部品にラジエータの重量が負荷されることに起因するものであってもよい。この力は、ポアッソン効果により、実装部品に対して支持部品を把持するような方向に材料を拡張させてもよい。
【００５３】
有利にも、実装部品は、第２組の支持脚部を有し、第１組の第１の支持脚部が第２組の第１の支持脚部とほぼ平行であり、第１組の第２の支持脚部が第２組の第２の支持脚部とほぼ平行であるように構成されてもよい。
【００５４】
いくつかの択一的な実施形態において、第２組は第１組に対して実質的に直交するように構成してもよい。
【００５５】
さらに有利にも、第２のスロットは、（実質的に平行な）第１組の第１の支持脚部と第２組の第１の支持脚部の間、および（実質的に平行な）第１組の第２の支持脚部と第２組の第２の支持脚部の間に設けられて、ラジエータ支持部品の第２の部材を受容するように構成され、ラジエータ支持部品の第２の部材が実装部品内に押圧されたとき、第１の支持脚部は、これらの間に第２の部材を把持し、第２の支持脚部は、これらの間に第２の部材を把持してもよい。
【００５６】
有利にも、支持部品の第１および第２の部材は、実質的に直交する板状部材の形態を有し、任意的には、板状部材は、共有頂部に向かって先細ってもよい。
【００５７】
いくつかの実施形態では、ラジエータ支持部品は実質的に矢じり形状を有してもよい。
【００５８】
第１および第２の部材は、共有ベースを含むほぼ三角形の板状部材を有してもよい。
【００５９】
実装部品は、ラジエータ支持部品を受容するように構成されたキャップ部を有し、キャップ部は、支持部品の形状と対応する形状を有してもよい。
【００６０】
キャップ部は、ラジエータ支持部品がキャップ部内に嵌合されることにより、支持部品が実装部品内に押圧されたとき、キャップ部がラジエータ支持部品を確実に把持するように構成してもよい。
【００６１】
キャップ部は、ラジエータ支持部品の第１および第２の部材を受容するための第１および第２のスロットを画定してもよい。
【００６２】
保護を求める本発明に係る別の態様によれば、上記態様に係る実装部品を支持するように構成されたラジエータ実装部品の支持台を備えた動力車両の本体構造体が提供される。
【００６３】
有利にも、支持台は、キャップ部が少なくとも一組のバンプ防止部品に向かって十分な距離だけ変位したとき、キャップ部の外側表面が実装部品の対向する側面上に当接するように構成された少なくとも一組のバンプ防止部品を有してもよい。
【００６４】
バンプ防止部品は、車両の縦方向および横方向を含む平面に対して先細ったキャップ部に対向した表面を有することにより、バンプ防止部品とキャップ部との間の反作用力をラジエータ支持部品に向きを変え、反作用力が車両の横方向軸および縦方向軸を含む平面に対して垂直な車両のＺ軸に平行な成分と垂直な成分を有してもよい。
【００６５】
この特徴は、反作用力によりラジエータに加わる折り曲げモーメントの大きさが図１の既知の構成と比較して低減されるような方向に、反作用力がラジエータに加わるように構成されるという利点を有する。
【００６６】
ラジエータを組み合わせて、本体構造体を提供してもよい。
【００６７】
ラジエータは、車両の横方向軸に平行な横断方向に配置されてもよい。第１および第２の直交スロットを有する実施形態において、第１のスロットは車両の横方向軸に平行であり、第２のスロットは車両の縦方向軸に平行であってもよい。
【００６８】
ラジエータは、それぞれ異なる第１および第２の支持部品を有し、
第１および第２の支持部品は、それぞれ実質的に同一の実装部品により把持されるように構成されてもよい。
【００６９】
第１の支持部品は、実装部品のキャップ部内に嵌合するような形状を有し、車両の縦方向軸および横方向軸に対して実質的にただ１つの点で把持されてもよい。
【００７０】
第２のラジエータ支持部品は、実装部品のキャップ部内に嵌合するような形状を有し、車両の横方向軸に対して所定範囲の位置で把持されてもよい。
【００７１】
第２のラジエータ支持部品は、その第２の部材の幅が実装部品の第２のスロットの対応する幅より小さい幅を有し、第２のラジエータ支持部品の第１の部材の横方向の寸法は、実装部品の第１のスロットの対応する横方向の寸法より小さくするように構成されることにより、車両の横方向軸に沿った第１および第２の部分の間の距離の変動を調整してもよい。
【００７２】
本発明に係る１つの態様によれば、動力車両のラジエータを支持するための方法が提供され、この方法は、実装部品を用いてラジエータに加わる力を車両本体構造体に伝達するステップを有し、車両の横方向軸または縦方向軸に沿ってラジエータに加わる力が実装部品のほぼ三角形の構造体を形成する支持脚部を介して伝達され、その頂部にある瞬間中心を通って作用し、頂部が脚部により車両本体構造体から離間する。
【００７３】
本発明に係る別の態様によれば、ラジエータ支持構造体の組み立て方法が提供され、この方法は、上記態様に係る一組の実装部品を提供するステップと、ラジエータの各組のラジエータ支持部品をそれぞれの実装部品に連結するステップとを有してもよい。
【００７４】
この方法は、一組の実装部品を動力車両の構造体上に設けるステップを有してもよい。
【００７５】
本願の範囲において、上記段落、クレーム、および／または以下の詳細な説明、および図面に記載したさまざまな態様、実施形態、実施例、および択一例は、独立して、または組み合わせて実施されることを明らかに意図したものである。１つの実施形態に記載した特徴は、その特徴が矛盾しない限り、すべての実施形態に適用可能である。
【図面の簡単な説明】
【００７６】
添付図面を参照しながら、例示目的のみのために、本発明に係る１つまたはそれ以上の実施形態を以下説明する。
【図１】既知のラジエータ支持装置の一部の概略図である。
【図２】本発明に係る実施形態によるラジエータ支持装置の実装部品を示す概略図であって、実装部品は車両のシャーシの一部により構成された支持体に取り付けられている。
【図３】（ａ）は図２の実装部品の斜視図であり、（ｂ）はその底面図である。
【図４】図２の実装部品を用いて支持されるように構成されたラジエータ支持ポストを示す。
【図５】図２の実装部品を用いて設置位置に支持されたラジエータ支持ポストの断面図である。
【図６】図２の実装部品の一部の断面を示す概略図であって、ラジエータの支持体に付随するいくつかの力を示す。
【図７】（ａ）は図２の実装部品の平面図であり、（ｂ）は本発明に係る実施形態による支持ポストのタイプＡのヘッド部の平面図であり、（ｃ）は本発明に係る実施形態による支持ポストのタイプＢのヘッド部の平面図である。
【図８】図７（ｂ）のタイプＡのヘッド部の斜視図である。
【発明を実施するための形態】
【００７７】
図１は、既知のラジエータ支持装置を示し、実質的な矩形形状を有するラジエータ１０が支持装置を用いて動力車両の前方部分において横断方向に支持される。ラジエータ１０は、鉛直方向に配置された一連の（アレイ状の）ラジエータチューブ１２を介して互い流体連通する上側タンク１４Ｕおよび下側タンク１４Ｌを有する。上側タンク１４Ｕに流入する高温の冷却剤は、チューブ１２を通って下側タンク１４Ｌに流れ落ちて、その際に冷却剤は冷却されるように構成される。
【００７８】
ラジエータ１０は重量Ｗを有し、この重量はラジエータ１０の質量中心Ｍを通るように作用する。ラジエータ１０の重量Ｗは３０ｋｇ未満であるか、またはいくつかの車両ではそれ以上であってもよい。
【００７９】
ラジエータ１０はその下端部で支持ポスト２０により支持され、支持ポストは上方端部で下側タンクハウジングに接続され、下方端部で車両の構造部品５に接続されている。いくつかの実施形態では、構造部品５は、たとえば車両シャーシの一部を構成するものであってもよい。図示された実施形態では、支持ポスト２０は、下方からその中に挿入されたスクリュ固定部品２０Ｆを用いて構造部品５に接続されている。いくつかの実施形態において、支持ポスト２０は、下側タンク１４Ｌのハウジングから構造部品５まで延びる管状ゴムブッシュにより包囲されている。
【００８０】
ラジエータ１０は、前後左右に移動することを防止するために、その上端部では別の構造部品６により支持されている。いくつの既知の装置では、ラジエータ１０の鉛直方向の動きは、構造部品６に接続することにより所定範囲内に規制されることはない。
【００８１】
図１には、ラジエータ１０に対して、その横断平面に垂直で車両の縦方向軸に平行な後方向に作用する力Ｆが図示されている。ラジエータチューブが下側タンク１４Ｌに連結する位置において力Ｆが作用する。この連結部分は、一般に、相当に大きいせん断力に耐えることができる。しかしながら、この連結部分は、折り曲げ動作が加わった場合には比較的に弱い。ラジエータ１０に対する作用力Ｆにより、反作用力が構造部品５，６に生じる。その結果、作用力Ｆが加わったポイントでラジエータ１０に折り曲げモーメントが生じる。
【００８２】
この慣性モーメントは、支持部品５に反作用力として生じた力に、力Ｆの加わったラインと支持部品５との間の距離ｄを掛け合わせた成分を有する。距離ｄが５０ｍｍまたはそれ以上のオーダであるので、このモーメントは無視することはできない。車両の動作しているときにラジエータが耐えられる力Ｆを大きくすることが好ましい。
【００８３】
図２は、本発明に係るラジエータ実装部品１４０の斜視図である。実装部品１４０は、本出願人によれば、ラジエータ１０に加わる縦方向の力に呼応してラジエータ１０により負荷される折り曲げモーメントが生じる位置を制御するための手段として着想されたものである。
【００８４】
実装部品１４０は、ラジエータ１１０の支持ポスト１４０（図４および図５）を受容するように構成されたモールド成形部品の態様を有する。実装部品は、図２および図５に示すように、車両シャーシ１０５の一部として構成された実装支持台（実装支持プラットフォーム）１０５Ｓ上に配置される。図３（ａ）は実装部品１４０のみを示す斜視図であり、図３（ｂ）は下から見た実装部品１４０を示す。
【００８５】
実装部品１４０は、実装支持台１０５Ｓ上に配置される二組の脚部を有し、各組の脚部が対向する端部において前下方向に突出する脚部１４２と後下方向に突出する脚部１４４を有する。脚部１４２，１４４は、実装部品１４０の４つの角部のそれぞれに設けられている。
【００８６】
理解されるように、実装部品が用に供されている車両の上向き鉛直方向に対して、前下方向や後下方向等の方向の用語が用いられている。
【００８７】
脚部１４２，１４４は、実装部品１４０のキャップ部（口金部品）１４０Ｃの周りに配設される。キャップ部は、図４に概略的に示すようなラジエータ支持ポスト１１６Ｐのヘッド部１１６Ｈを受容するような形状を有するキャビティ（空洞部）を画定する。ヘッド部１１６Ｈは、ほぼＸ字状の断面を有し、先端部１１６Ｔに向かって先細りしている。ヘッド部１１６Ｈは、一対の直交する三角ブレード１１６Ａ，１１６Ｂからなり、三角ブレードは同一頂部１１６Ｔを共有し、（図示のように、車両がほぼ平坦な路面上にあるとき、ほぼ水平面と考えられる）同一平面上にベース１１６Ｂを有する。ポスト１１６Ｐは、先端部１１６Ｔから下方に突出する円筒部１１６ＴＣを有する。円筒部１１６ＴＣは、図５を参照してより詳細に後述するボルトの形態を有する固定部品１５０Ｆを受容するように構成された傾斜ボア（傾斜孔）を有する。
【００８８】
キャップ部１４０Ｃは、ヘッド部１１６Ｈの形状と相補的な形状を有し、ヘッド部がキャップ部内に挿入されたとき、ブレード１１６Ａ，１１６Ｃと実装部品１４０の間に実質的なギャップが形成されることなく、ヘッド部１１６Ｈを寸法形状の点で確実に把持するように構成されている。
【００８９】
図示された実施形態において、ヘッド部がキャップ部１４０Ｃ内に下方に挿入されるとき、実装部品１４０を構成する弾性材料が圧縮されるように、実装部品１４０は構成される。弾性材料は垂直方向に圧縮されると、（ポアッソン効果により）水平方向に拡張し、実装部品１４０はヘッド部１１６Ｈのブレード１１６Ａ，１１６Ｂを寸法形状の点で確実に把持する。ブレード１１６Ａは、取り付けられたとき、車両の全長に平行な縦方向（すなわちＸ軸に平行な方向）に配向されるので、縦方向ブレードとも呼ばれる。これは、「南北」方向とも呼ばれる。ブレード１１６Ｃは、取り付けられたとき、車両の全幅を横断する横方向（すなわちＹ軸に平行な方向）に配向されるので、横方向ブレードとも呼ばれる。これは、「東西」方向とも呼ばれる。
【００９０】
理解されるように、前方向および後方向に突出する一方の対の脚部１４２，１４４は、ブレード１１６Ａの一方の側面で、ヘッド部１１６Ｈの一方の側面にあるブレード１１６Ｃの対応する部分を把持するように構成され、前方向および後方向に突出する一方の対の脚部１４２，１４４は、ブレード１１６Ａの対向する側面で、ヘッド部１１６Ｈの対向する側面にあるブレード１１６Ｃの対応する残りの部分を把持するように構成されている。
【００９１】
同様に、２つの前方向に突出する脚部１４２は、ブレード１１６Ａの対応する前方部分を把持し、２つの後方向に突出する脚部１４４は、ブレード１１６Ａの残りの対応する後方部分を把持する。
【００９２】
実装部品１４０の脚部１４２，１４４は、支持台１０５Ｓの矩形リム１０５ＳＲにより画定された４面矩形トレイ内に寸法形状の点で確実に設置されるように構成されている。実装部品１４０の水平方向の動きは矩形リム１０５ＳＲにより制約されるため、実装部品１４０は支持台１０５Ｓ上に保持される。
【００９３】
図面から明らかなように、ブレード１１６Ａはブレード１１６Ｃより肉厚である。それぞれのブレードの厚みは、キャップ部１４０Ｃにより画定されるキャビティの対応する領域の幅に対応する。
【００９４】
矩形リム１０５ＳＲの４つの側面のそれぞれの中間点には、バンプ防止部品（上下揺れ防止部品）が設けられている。バンプ防止部品は、矩形リム１０５ＳＲから上方に突出する構造体の形態を有する。バンプ防止部品の面は、ブレード１１６Ａ，１１６Ｃのそれぞれの外側端面に対応する位置でキャップ部１４０Ｃの対応する外側表面に面するように構成されている。支持ポスト１１６Ｐのヘッド部１１６Ｈが静止状態（車両が実質的に静止したと認められる状態）から十分な距離だけ下方へ移動したとき、キャップ部１４０Ｃがバンプ防止部品１０５Ｂに接触し、ヘッド部１１６Ｈのさらなる動きが規制されるようにバンプ防止部品１０５Ｂは構成される。この実施形態では、上記距離は実質的に３ｍｍであるが、他の距離も同様に有用である。この実施形態では、バンプ防止部品１０５Ｂに対する接点が形成されるところのブレード端部の周りのキャップ部１４０Ｃの厚みも同様に約３ｍｍである。他の厚みも同様に有用である。
【００９５】
理解されるように、ヘッド部１１６Ｈが鉛直下方に移動した場合、実装部品１４０がバンプ防止部品１０５Ｂに当接するまで、ヘッド部１１６Ｈのさらなる動きに対抗して脚部１４４，１４２が圧縮する。
【００９６】
同様に、ヘッド部１１６Ｈが前方または後方に移動すると、ブレード１１６Ａの前方向または後方向に突出する端部の周りのキャップ部１４０Ｃの対応する表面が対応するバンプ防止部品１０５Ｂに当接するまで、ヘッド部１１６Ｈのさらなる動きに対抗して脚部１４４，１４２が圧縮する。
【００９７】
バンプ防止部品１０５Ｂは、キャップ部１４０Ｃに面する各バンプ防止部品１０５Ｂの面が、キャップ部１４０Ｃの外側表面に実質的に平行となり、さらにブレード１１６Ａの対応する傾斜端部に実質的に平行となるように構成される。したがって、バンプ防止部品１０５Ｂがヘッド部１１６Ｈに与える反作用力は、上向きの成分と、ヘッド部１１６Ｈに対する横向きの成分とを有する。図示した実施形態では、反作用力は、ラジエータ１１０の内側に向かうベクトルに沿って作用するように構成される。理解されるように、上記構成は、図１に示す先行技術に係る構成に比較して、ラジエータ構造体が受ける折り曲げモーメントを低減することができる。シャーシは比較的に丈夫で頑健である一方、ラジエータ１１０が比較的に壊れやすいので、モーメントの低減は有利なことである。
【００９８】
図５は、車両に取り付けられたラジエータ１１０の断面図であり、支持ポスト１１６Ｐを有するヘッド部１１６Ｈが実装部品１４０のキャップ部１４０Ｃ内で支持されている状態を示す。
【００９９】
上記説明したように、支持ポスト１１６Ｐの円筒部１１６ＴＣは、固定部品１５０Ｆを受容するように構成された傾斜孔を有する。図示された実施形態では、固定部品１５０Ｆはボルトである。固定部品１５０Ｆは、シャーシ支持台１０５Ｓの下から支持ポスト１１６Ｐ内にねじ止めされる。固定部品１５０Ｆのヘッド１５０ＦＨは、弾性材料を用いて形成された弾性変形可能なブッシュ１５０Ｂを介して、シャーシ支持台１０５Ｓから離間して配置される。ブッシュ１５０Ｂは、固定部品１５０Ｆが適正に締め付けられたとき、ワッシャ部品１５０Ｗにより多少圧縮されるように構成される。このように構成することにより、支持ポスト１１６Ｐがシャーシ支持台１０５Ｓに対して鉛直方向におよび水平面内で弾性移動することができる。
【０１００】
ラジエータ１１０は、これに固定された後方突出の支持構造体１１０ＳＲを有し、この支持構造体は、ファンが固定されるファンカウル、サーモスタット、オイルクーラ、および他の付属部品を含む数多くの構成部品を支持するものである。前方突出の支持構造体１１０ＳＦは、凝縮器および任意的には凝縮器ファンを支持するものである。理解されるように、前方支持構造体１１０ＳＦおよび後方支持構造体１１０ＳＲに付随する駆動表面上のバンプおよび車両動作に付随する内部振動モード等の外的入力に起因した前方から後方のラジエータ１１０への負荷は、チューブ１１２と下側冷却剤タンク１１４Ｌとの間の連結部分の垂直位置を貫通してまたは近接して通るラインに沿って作用する。すなわち連結部分の周りのモーメントの大きさは、図１の従来技術に係る構成で受け得るモーメントの大きさより実質的に小さい。
【０１０１】
ここで、ラジエータ１１０を支持するときの脚部１４２，１４４の機能についてより詳細に検討する。図６は、断面方向から一対の脚部１４２，１４４のみを見たときの実装部品１４０上で支持されたラジエータ１１０の下側部分を示す。上述したように、脚部１４２，１４４は、ヘッド部１１６Ｈの水平方向のブレード１１６Ｃを把持するものであることが図面から分かる。
【０１０２】
図示された実施例では、ラジエータ１１０は、車両の縦方向軸に平行で、紙面に直交するラジエータ１１０の面に直交する水平方向の力Ｆを受ける。力Ｆは、チューブ１１２と下側冷却剤タンク１１４Ｌとの間の連結部分に相当する鉛直位置に付加される。
【０１０３】
脚部１４２，１４４はラジエータ１１０の重量Ｗを支持し、重量Ｗは各脚部１４２，１４４に当初の圧縮力を与える。さらに脚部１４２，１４４は、ラジエータに加えられた力を支持台１０５Ｓに伝える。後方脚部１４４は（重量Ｗの成分に追加される）力Ｆに起因して大きな圧縮力が加わる一方、前方脚部１４２は圧縮力が低減する（力Ｆの一部が前方脚部１４２に張力を与えるように力の向きが変更され、前方脚部１４２に加わる正味の圧縮力が減る。）。後方突出脚部１４４が正味の力Ｆ’Ｌを支持台１０５Ｓに伝える一方、前方突出脚部１４４が正味の力ＦＬを支持台１０５Ｓに伝える。
【０１０４】
理解されるように、力Ｆに対向するような反作用力が支持台１０５Ｓにより生じる。脚部は、力Ｆ’Ｌと力ＦＬが実装部品１４０の上方の（仮想的な）瞬間中心ＩＣで交差するように構成される。図示された実施形態では、瞬間中心ＩＣは、ラジエータ１１０自体の内部に形成される。とりわけ図示された実施形態では、瞬間中心ＩＣは、下側タンク１１４Ｌの内部に形成される。瞬間中心ＩＣに対するその他の位置も同様に有用である。
【０１０５】
理解されるように、力Ｆに対する支持台１０５Ｓによる反作用力が実装部品１４０の上方にある瞬間中心ＩＣを通るように作用するので（この場合、定義により、折り曲げモーメントは生じない。）、ラジエータ１１０がこの領域で受ける折り曲げモーメントの大きさを低減することができる。とりわけ下側冷却剤タンク１１４Ｌとチューブ１１２との間の比較的に脆弱な連結部分の位置において、ラジエータ１１０が受ける折り曲げモーメントの大きさを実質的に低減することができる。
【０１０６】
これにより、ラジエータ１１０が衝撃力を受けた場合に、ラジエータ１１０が損傷するリスクを低減する効果が得られる。いくつかのラジエータ構造において、１つまたはそれ以上の支持台は、下側冷却剤タンク１１４Ｌとチューブ１１２との間の連結部分に隣接したところで、ラジエータ１１０から前方に突出するように構成される。支持台は、1つまたはそれ以上の凝縮器、冷却ファン、または他の補助的な構成部品を支持するように構成してもよい。車両が前方に走行しているときに障害物と衝突した場合、ラジエータ１１０に力Ｆの方向に衝撃力が作用する。本発明に係る実施形態によれば、上記場合、ラジエータ１１０は、下側冷却剤タンク１１４Ｌとチューブ１１２との間の連結部分において、図１に示す従来技術に係る構成が同様の状況で受ける折り曲げモーメントに比して、低減された折り曲げモーメントを受けるという利点がある。
【０１０７】
理解されるように、既知のラジエータ１０は、通常、その対向する両端部で２つのラジエータ支持ポスト２０により支持される。理解されるように、いくつかの実施形態では、組立作業者は、製造上の多様性または許容誤差の結果として、支持ポスト２０間の間隔が異なるため、いくつかのラジエータを車両に取り付けることが困難と感じることがある。この問題を解決するために、本発明に係る実施形態では、支持ポストと実装部品１４０との間の位置ずれを調整するために、所与のラジエータのラジエータ支持ポスト２０は、それぞれ異なる形状を有する。１つの実施形態では、複数の支持ポストのうちの１つの支持ポストは、実装部品１４０に対する支持ポストの水平方向の位置ずれに対する公差がほとんど、またはまったくなく、ヘッド部が実装部品１４０のキャップ部１４０Ｃ内に嵌合し、実装部品１４０がラジエータ１１０の重量を支える場合、キャップ部１４０Ｃにより確実に把持されるように構成される。上述のように、支持ポストのヘッド部がキャップ部１４０Ｃ内に配置され、圧縮力が加わったとき、実装部品１４０の弾性材料は、圧縮応力を受け、キャップ部１４０Ｃが拡張して、支持ポストのヘッド部を把持する。
【０１０８】
他の支持ポストは、それぞれの実装部品１４０に対して水平方向位置の所定の範囲内に配置されているとき、実装部品１４０のキャップ部１４０Ｃ内に嵌合し、実装部品１４０がラジエータ１１０の重量を支える場合、キャップ部１４０Ｃにより確実に把持されるように構成される。この特徴は、ラジエータ１１０を車両に取り付けようとするとき、各ラジエータ支持ポスト２０の中心間の距離のばらつき（多様性）を補償することができるという利点を有する。すなわち、１つのラジエータ支持ポストは、水平方向の位置ずれに対する公差がほとんど、またはまったくなく確実に固定される一方、その他のラジエータ支持ポストは、水平方向の所定の位置範囲内において確実に固定することができる。すなわち、ラジエータが車両に取り付けることができないというリスク、または支持ポストに力を加えて各実装部品に嵌合させるために過剰なストレスをラジエータに与えるというリスクを回避することができる。
【０１０９】
図７（ａ）は図２に示す実装部品１４０の平面図であり、図７（ｂ）は本発明に係る実施形態によるタイプＡのラジエータ支持ポスト２１６Ｐを示し、図７（ｃ）は本発明に係る実施形態によるタイプＢのラジエータ支持ポスト３１６Ｐを示す。図７（ｂ）および図７（ｃ）の支持ポストの同様の特徴物は、参照符号の最初の数字を１の代わりに。それぞれ２または３の参照符号を用いて表される。
【０１１０】
タイプＡのラジエータ支持ポスト２１６Ｐは、ヘッド部２１６Ｈの表面とキャップ部１４０Ｃとの間で安定的にキャップ部１４０Ｃ内に嵌合するように構成される。図４に示す支持ポスト１１６Ｐの場合と同様、支持ポスト２１６Ｐが実装部品１４０のキャップ部１４０Ｃ内に押し込まれたとき、支持ポスト２１６Ｐは自ら中央に配置し、ブレード２１６Ａ１，２１６Ａ２，２１６Ｃが先端部に向かって先細っているという事実に起因して、自己中央配置プロセスは特に都合がよい。しかし、所与のラジエータ１１０の両方の支持ポスト１１６Ｐが同一である場合の図４に示す実施形態において、複数の支持ポスト１１６Ｐの水平方向の間隔のばらつきに対する公差（許容誤差）はほとんどない。
【０１１１】
対照的に、タイプＢのラジエータ支持ポスト３１６Ｐは、キャップ部１４０Ｃ内に嵌合し、支持ポスト２１６Ｐ，３１６Ｐの水平方向軸Ｙに沿った所定量の位置ずれを吸収（適応）できるように構成されている。
【０１１２】
図７（ｂ）に示すように、タイプＡの支持ポスト２１６Ｐは、対応する図４の支持ポスト１１６Ｐの横方向ブレード１１６Ｃと同様の形状および寸法を有する横方向ブレード２１６Ｃを有する。横方向ブレード２１６Ｃは、二組の前方および後方に突出する脚部１４２，１４４の間に配置されたキャップ部１４０Ｃにより画定されたキャビティの幅に対応する幅を有する。図４の実施形態と同様、横方向ブレード１１６Ｃの横方向の寸法（広がり）は、横方向ブレード２１６Ｃがキャップ部１４０Ｃに挿入されたとき、ブレードが寸法および形状の点でキャップ部１４０Ｃに確実に嵌合して、横方向ブレード２１６Ｃとキャップ部１４０Ｃとの間に横方向または縦方向の隙間がほとんどないように設計されている。
【０１１３】
支持ポスト２１６Ｐは、Ｘ軸に平行に配列された２つの縦方向のブレード２１６Ａ１，２１６Ａ２を有する。各ブレード２１６Ａ１，２１６Ａ２は、図４の実施形態の対応する縦方向ブレード１１６Ａより小さい厚みを有するが、横方向に離間して両者の間に間隙がある。ブレード２１６Ａ１，２１６Ａ２は、図４のブレード１１６Ａの厚みに相当する厚みを有する単一のブレードを有効に構成する。いくつかの実施形態では、図４のブレード１１６Ａは、図７（ｂ）のブレード２１６Ａと置換することができ、図７（ｃ）のブレード３１６Ａとともにラジエータに採用することができる。
【０１１４】
図７（ｃ）の支持ポスト３１６Ｐは、同様に横方向ブレード３１６Ｃと縦方向３１６Ａを有する。横方向ブレード３１６Ｃは、横方向ブレード２１６Ｃ，１１６Ｃと同様の厚みを有するが、低減された横方向寸法（広がり）を有する。こうして、実装部品１４０に対する支持ポスト３１６Ｐの配置位置を所定の位置範囲内で横方向に変更することができ、支持ポスト３１６Ｐのヘッド部３１６Ｈが実装部品１４０のキャップ部１４０Ｃ内に挿入されたとき、実装部品１４０がブレード３１６Ｃを把持することができる。
【０１１５】
支持ポスト３１６Ｐの横方向の配置位置に対する公差を得るために、縦方向ブレード３１６Ｐの厚みを小さくするが、縦方向の寸法（広がり）は、縦方向ブレード２１６Ａ１，２１６Ａ２，１１６Ａと実質的に同一に維持される。
【０１１６】
すなわち縦方向ブレード３１６Ａは、前方および後方に突出する各脚部１４２，１４４の間に配置されたキャップ部１４０Ｃにより画定されたキャビティの部分の幅に比して、必要な公差に相当する寸法だけより小さい幅を有するように構成される。
【０１１７】
理解されるように、縦方向ブレード３１６Ａの縦方向の寸法（広がり）同じであるので、支持ポスト３１６Ｐの支持台１０５Ｓに向かう鉛直下方向の移動は、依然として前方及び後方のバンプ防止部品１０５Ｂにより制限される。すなわち、所与の実施例に係るラジエータの支持ポスト２１６Ｐ，３１６Ｐの間の距離の変動に対して改善された公差による利益とともに、バンプ防止部品１０５Ｂの有用性を享受することができる。
【０１１８】
上記説明したように、傾斜したブレード１１６Ａ，１１６Ｃ，２１６Ａ，２１６Ｂ，３１６Ａ，３１６Ｃの特徴により、ヘッド部１１６Ｈ，２１６Ｈ，３１６Ｈが実装部品１４０のキャップ部１４０Ｃ内に挿入されたとき、支持ポスト１１６Ｐ，２１６Ｐ，３１６Ｐは縦方向軸に沿って有効に自動的に位置合わせされる。
【０１１９】
本願明細書の発明の詳細な説明及びクレームを通して、「備える（comprise）」および「含む（contain）」の用語、およびこれらの用語から派生した「備えた（comprising）」および「備え（comprises）」の用語は、「これらに限定することなく有する」という意味であり、その他の部分、付随物、成分、整数、またはステップを排除することを意図したものではない。
【０１２０】
本願明細書の発明の詳細な説明及びクレームを通して、単数形は、文脈上要求されるものでなければ、複数形のものを含む。特に、不定冠詞を用いた場合には、文脈上要求されるものでなければ、単数形のみならず、複数形のものを含むものと理解すべきである。
【０１２１】
本発明に係る特定の態様、実施形態、または実施例に関連して説明した特徴物、整数、特性、成分、化学成分、または化学塩基は、矛盾するものでなければ、任意の他の態様、実施形態、または実施例に適用可能であるものと理解すべきである。
【符号の説明】
【０１２２】
５，６…車両の構造部品、１０…ラジエータ、１２…ラジエータチューブ、１４Ｕ…上側タンク、１４Ｌ…下側タンク、２０…支持ポスト、２０Ｆ…スクリュ固定部品、１０５…車両シャーシ、１０５Ｓ…実装支持台（実装支持プラットフォーム）、１０５ＳＲ…矩形リム、１０５Ｂ…バンプ防止部品（上下揺れ防止部品）、１１０…ラジエータ、１１０ＳＦ…前方支持構造体、１１０ＳＲ…後方支持構造体、１１６Ｐ…支持ポスト、１１６Ｈ…ヘッド部、１１６Ｔ…先端部（頂部）、１１６Ｂ…ベース、１１６ＴＣ…円筒部、１１６Ａ…縦方向ブレード、１１６Ｃ…横方向ブレード、１４０…ラジエータ実装部品、１４０Ｃ…実装部品１４０のキャップ部（口金部品）、１４２…実装部品の前方突出脚部、１４４…実装部品の後方突出脚部、１５０Ｆ…固定部品、１５０Ｗ…ワッシャ部品。
【図１】
2015532233.tif 000003
【図２】
2015532233.tif 000004
【図３】
2015532233.tif 000005
【図４】
2015532233.tif 000006
【図５】
2015532233.tif 000007
【図６】
2015532233.tif 000008
【図７】
2015532233.tif 000009
【図８】
2015532233.tif 000010
【国際調査報告】
2015532233.tif 000011
2015532233.tif 000012
2015532233.tif 000013
2015532233.tif 000014
2015532233.tif 000015